(57)【要約】【課題】  椅子の着座空間のみを効果的に冷房することができるベンチを提供する。【解決手段】  ベンチ１は、コンプレッサ２２、コンデンサ２３及びエバポレータ１２を含む冷媒回路を有した冷却ユニットＲと、座４と背５を有した椅子３とを一体に構成し、断熱壁２と側面構成材６、６とから構成される着座空間９に、エバポレータ１２と熱交換した冷気を送風機１３により供給する。椅子の後方に立設された背面構成材及び椅子の両側に設けられた側面構成材６とを備え、エバポレータ及び送風機を背面構成材内のダクト１１に配置し、エバポレータと熱交換した冷気を椅子上方に位置するダクトの冷気吹出口１６より吹き出し、椅子の座の後方に位置する冷気吸込口１８よりダクト内に吸い込む。【選択図】  図１
2005348783.tif 000002
【特許請求の範囲】
【請求項１】
コンプレッサ、コンデンサ及びエバポレータを含む冷媒回路を有した冷却ユニットと、少なくとも座を有した椅子とを一体に構成し、
前記エバポレータと熱交換した冷気を送風機により前記椅子の着座空間に供給することを特徴とするベンチ。
【請求項２】
前記椅子の座、及び／又は、当該椅子の背に加熱装置を設けたことを特徴とする請求項１のベンチ。
【請求項３】
前記椅子の後方に立設された背面構成材及び前記椅子の両側に設けられた側面構成材とを備え、前記エバポレータ及び送風機を前記背面構成材内のダクトに配置し、前記エバポレータと熱交換した冷気を前記椅子上方に位置する前記ダクトの吹出口より吹き出し、前記椅子の座の後方に位置する吸込口より前記ダクト内に吸い込むことを特徴とする請求項１又は請求項２のベンチ。
【請求項４】
前記椅子の背と前記背面構成材間に空間を構成すると共に、前記送風機の回転数、及び／又は、前記吹出口からの冷気吹き出し方向を制御可能としたことを特徴とする請求項３のベンチ。
【請求項５】
前記椅子に着座したことを検出する検出手段を備え、該検出手段が着座を検出しない場合には、前記送風機の回転数を低下させ、及び／又は、前記吹出口からの冷気吹き出し方向を下方とすると共に、着座を検出した場合は、前記送風機の回転数を増大させ、及び／又は、前記吹出口からの冷気吹き出し方向を前下方に向けることを特徴とする請求項４のベンチ。
【請求項６】
前記側面構成材間における前記椅子の側方に当該椅子の無い空間を構成し、前記吹出口より冷気を当該椅子の無い空間にも吹き出すことを特徴とする請求項３、請求項４又は請求項５のベンチ。
【請求項７】
前記椅子の下方に前記冷却ユニットのコンプレッサ及びコンデンサを配置したことを特徴とする請求項６のベンチ。
【請求項８】
前記椅子の無い空間には、背と当該背側に折り畳み可能とされた座から成る折り畳み式の椅子を配置したことを特徴とする請求項７のベンチ。
【請求項９】
前記冷却ユニットのコンプレッサ及びコンデンサを前記背面構成材の上方に配置すると共に、前記椅子の座を当該椅子の背側に折り畳み可能としたことを特徴とする請求項３、請求項４又は請求項５のベンチ。
【請求項１０】
前記吹出口を前記椅子の上方前側に配置したことを特徴とする請求項３、請求項４、請求項５、請求項６、請求項７、請求項８又は請求項９のベンチ。
【発明の詳細な説明】
【技術分野】
【０００１】
本発明は、例えば駅のホームなどのように設置スペースが限られる屋外に設置される冷却機能を備えたベンチに関するものである。
【背景技術】
【０００２】
従来より、例えば駅のホームなどに設置される椅子や公共の施設に設置される椅子などは、座と背を備えたもの若しくは、座のみを備えたものなどがあり、椅子自体に冷却手段や加熱手段を備えているものは少ない。しかしながら、特に屋外に設置される椅子は、野外の温度や通風状態、照射される日光などにより大きく影響を受ける。そのため、特に夏季などに、日差しの強い環境や高い温度環境では、椅子を構成する背や座が著しく加熱され、使用者に不快感を与えることとなり、更には、椅子の使用自体が不可能となる場合もある。そのため、使用者は、椅子が設置されているにも拘わらず、椅子を使用できない状態を強いられることとなる。また、冬季など低い温度環境では、椅子を構成する背や座が著しく冷却されるため、この場合にも使用者に不快感を与えることとなる。また、使用者の身体を冷却することから、冷えの原因ともなり、椅子の使用がためらわれることもある。
【０００３】
他方、従来の椅子には、身体との密着面、即ち、背や座を加温するものが開発されている。これにより、冬季など低い温度環境における背や座の低温による不快感を解消することができる。また、高い温度環境となる夏季などにおいて、身体と椅子の密着している部分、即ち、背中や脚部での通風不足から生じる発汗による不快感を改善するため、椅子の底部、背部、横部の何れかに空気の吹出手段を備えた椅子が開発されている（特許文献１参照。）。
【特許文献１】特開平５−１４６３４４号公報
【発明の開示】
【発明が解決しようとする課題】
【０００４】
しかしながら、上述した如き特許文献１の椅子は、当該椅子が設置される室内用の空調設備から供給される冷暖房用空気を吹出手段から吹き出すものであるため、室内に設置することや設置場所が変更されないことが前提となる。そのため、空調設備が設けられる室内よりも著しく野外の温度や通風状態、照射される日光などにより影響を受ける屋外に係る椅子を設置することはできない。
【０００５】
そのため、空調設備とは別に夏季などにおける椅子の着座空間を冷却する方法として、扇風機などの送風手段を設け、係る送風手段による送風により着座空間の環境改善を行うことが考えられる。しかし、この場合、送風する空気の温度を積極的に低下させる機能を有していないため、効果的に着座空間を冷却することができないという問題がある。そこで、駅のホームなどのように設置スペースが限られる屋外に設置可能な冷却機能を備えた椅子の開発が要望されている。
【課題を解決するための手段】
【０００６】
本発明のベンチは、コンプレッサ、コンデンサ及びエバポレータを含む冷媒回路を有した冷却ユニットと、少なくとも座を有した椅子とを一体に構成し、エバポレータと熱交換した冷気を送風機により椅子の着座空間に供給するものである。
【０００７】
請求項２の発明のベンチは、上記発明において、椅子の座、及び／又は、当該椅子の背に加熱装置を設けたものである。
【０００８】
請求項３の発明のベンチは、上記各発明において、椅子の後方に立設された背面構成材及び椅子の両側に設けられた側面構成材とを備え、エバポレータ及び送風機を背面構成材内のダクトに配置し、エバポレータと熱交換した冷気を椅子上方に位置するダクトの吹出口より吹き出し、椅子の座の後方に位置する吸込口よりダクト内に吸い込むものである。
【０００９】
請求項４の発明のベンチは、上記発明において、椅子の背と背面構成材間に空間を構成すると共に、送風機の回転数、及び／又は、吹出口からの冷気吹き出し方向を制御可能としたものである。
【００１０】
請求項５の発明のベンチは、上記発明において、椅子に着座したことを検出する検出手段を備え、該検出手段が着座を検出しない場合には、送風機の回転数を低下させ、及び／又は、吹出口からの冷気吹き出し方向を下方とすると共に、着座を検出した場合は、送風機の回転数を増大させ、及び／又は、吹出口からの冷気吹き出し方向を前下方に向けるものである。
【００１１】
請求項６の発明のベンチは、請求項３、請求項４又は請求項５の発明において、側面構成材間における椅子の側方に当該椅子の無い空間を構成し、吹出口より冷気を当該椅子の無い空間にも吹き出すものである。
【００１２】
請求項７の発明のベンチは、上記において、椅子の下方に冷却ユニットのコンプレッサ及びコンデンサを配置したことを特徴とする。
【００１３】
請求項８の発明のベンチは、上記において、椅子の無い空間には、背と当該背側に折り畳み可能とされた座から成る折り畳み式の椅子を配置したものである。
【００１４】
請求項９の発明のベンチは、請求項３、請求項４又は請求項５の発明において、冷却ユニットのコンプレッサ及びコンデンサを背面構成材の上方に配置すると共に、椅子の座を当該椅子の背側に折り畳み可能としたものである。
【００１５】
請求項１０の発明のベンチは、請求項３、請求項４、請求項５、請求項６、請求項７、請求項８又は請求項９の発明において、吹出口を椅子の上方前側に配置したものである。
【発明の効果】
【００１６】
本発明のベンチは、コンプレッサ、コンデンサ及びエバポレータを含む冷媒回路を有した冷却ユニットと、少なくとも座を有した椅子とを一体に構成し、エバポレータと熱交換した冷気を送風機により椅子の着座空間に供給する椅子に着座した人の周囲にエバポレータと熱交換した冷気を供給して冷房することが可能となる。特に、椅子の着座空間のみを冷房するかたちとなるので、装置全体がコンパクト化でき、設置スペースが限られる場合に特に有効となる。
【００１７】
また、請求項２の発明の如く椅子の座、及び／又は、当該椅子の背に加熱装置を設ければ、冷気によって冷えた椅子の座や背に、空気中の湿気が結露して座や背を濡らす不都合を加熱装置の発熱により防止、若しくは、抑制することができるようになる。また、例えば冬季には冷却ユニットを停止し、加熱装置を発熱させることで、椅子の座や背を加熱し、着座した人を暖めることができる。
【００１８】
また、請求項３の発明の如く椅子の後方に立設された背面構成材及び椅子の両側に設けられた側面構成材とを設け、エバポレータ及び送風機を背面構成材内のダクトに配置し、エバポレータと熱交換した冷気を椅子上方に位置するダクトの吹出口より吹き出し、椅子の座の後方に位置する吸込口よりダクト内に吸い込むようにすれば、椅子の着座空間に効率よく冷気を循環させ、円滑に冷房を行うことができるようになる。
【００１９】
また、請求項４の発明の如く椅子の背と背面構成材間に空間を構成すると共に、送風機の回転数、及び／又は、吹出口からの冷気吹き出し方向を制御可能とすれば、例えば請求項５の如く椅子に着座したことを検出する検出手段を設け、この検出手段が着座を検出しない場合には、送風機の回転数を低下させ、及び／又は、吹出口からの冷気吹き出し方向を下方とすることにより、冷房の必要が無い場合には吹出口から吹き出された冷気を、椅子の背と背面構成材間の空間を経てショートサイクルさせることができる。これにより、省エネルギーに寄与できるようになる。
【００２０】
そして、着座を検出した場合は、送風機の回転数を増大させ、及び／又は、吹出口からの冷気吹き出し方向を前下方に向けるようにすることにより、冷房が必要な場合に支障無く着座した人に冷気を当てることができるようになる。
【００２１】
また、請求項６の発明の如く側面構成材間における椅子の側方に当該椅子の無い空間を構成し、吹出口より冷気を当該椅子の無い空間にも吹き出すようにすれば、椅子の無い空間に例えば車椅子のまま入って冷気に当たることができるようになり、所謂バリヤフリーにも寄与することができるようになる。
【００２２】
また、請求項７の発明の如く椅子の下方に冷却ユニットのコンプレッサ及びコンデンサを配置すれば、重心が低くなって装置全体が安定化すると共に、請求項８の発明の如く椅子の無い空間に、背と当該背側に折り畳み可能とされた座から成る折り畳み式の椅子を配置すれば、当該椅子の無い空間におけるバリヤフリーを実現しながら、座を水平として着座することも可能となる。
【００２３】
また、請求項９の発明の如く冷却ユニットのコンプレッサ及びコンデンサを背面構成材の上方に配置すると共に、椅子の座を当該椅子の背側に折り畳み可能とすれば、椅子に着座する使用形態と、例えば車椅子のまま入って冷気に当たる使用形態を使い分けることができるようになる。
【００２４】
また、請求項１０の発明の如く吹出口を椅子の上方前側に配置すれば、背面構成材と側面構成材とで囲繞された着座空間の前側に冷気エアーカーテンを形成でき、冷房効果が一段と向上するものである。
【発明を実施するための最良の形態】
【００２５】
本発明は、従来の技術的課題を解決するために成されたものであり、椅子の着座空間のみを効果的に冷房することができるベンチを提供する。以下、図面を参照して本発明を適用した各実施例のベンチについて説明する。
【実施例１】
【００２６】
先ず、第１の実施例としてのベンチ１について、図１及び図２を参照して説明する。図１はベンチ１の縦断側面図、図２はベンチ１の正面図を示している。
【００２７】
本実施例のベンチ１は、断面略Ｌ字状の断熱壁２と、この断熱壁２の両側に取り付けられた側面構成材６、６と、これら断熱壁２と側面構成材６、６により囲繞された着座空間９に配置された椅子３などから構成されている。側面構成材６、６は、断熱壁２の上部前縁から下部前縁に渡って所定曲率にて湾曲して形成されたガラスなどの透明板７により構成されており、当該透明板７の上縁から下縁に渡って枠部材８が取り付けられている。椅子３は座４と背５を備えており、詳細は後述する。
【００２８】
断熱壁２の背壁２Ｂの内側には、所定の間隔を存して背面板１０が取り付けられ、この背面板１０と断熱壁２の背壁２Ｂとの間をダクト１１としている。そして、これら背壁２Ｂと背面板１０によってこの実施例における本発明の背面構成材が構成される。このダクト１１内には、冷却ユニットＲのエバポレータ１２が縦設されており、このエバポレータ１２の上方には、送風機１３が設けられたファンケース１４が取り付けられている。
【００２９】
また、背面板１０の上部には、送風機１３が設けられる位置よりも上方であって、且つ、着座空間９に設けられる椅子３の上方に位置して冷気吹出口１６が左右に渡って形成される。この冷気吹出口１６には、冷気吹き出し方向を調整可能とするルーバー１７が設けられている。本実施例において、ルーバー１７は、例えばルーバーモータ１７Ａ（図３のみ図示する。）により回動自在とされており、詳細は後述する制御装置２０により制御される。
【００３０】
他方、図２に示す如く背面板１０の下部には、エバポレータ１２が設けられる位置よりも下方であって、且つ、着座空間９に設けられる椅子３の座４の後方に位置して複数の冷気吸込口１８が左右に渡って形成される。
【００３１】
これにより、送風機１３が運転されるとエバポレータ１２と熱交換した冷気はダクト１１内を上昇せられ、背面板１０の上部に形成された冷気吹出口１６より着座空間９に吹き出される。そして、着座空間９の冷気は、背面板１０の下部に形成された冷気吸込口１８から吸い込まれ、再び送風機１３によって加速され、着座空間９に冷気が循環されて着座空間９は所定の温度に冷却される。
【００３２】
他方、断熱壁２の底壁２Ａの下方には、機械室２１が形成されており、この機械室２１内には、前記エバポレータ１２と共に、冷媒回路を有した冷却ユニットＲを構成するコンプレッサ２２と、コンデンサ２３と、コンデンサ用送風機２４などが設けられている。そして、機械室２１前面には、グリル２５が形成された前面パネル２６が設けられている。また、断熱壁２の背壁２Ｂの背面には、当該背壁２Ｂと所定間隔を存して背面パネル２７が設けられ、係る背壁２Ｂの背面と背面パネル２７との間に背面ダクト２８が形成される。この背面ダクト２８は、上端が上方に開放していると共に、機械室２１後部と連通している。これにより、コンデンサ用送風機２４が運転されると、グリル２５から機械室２１内に吸気され、背面ダクト２８の上端より廃熱が外部に排出される。
【００３３】
次に、着座空間９に設けられる椅子３について説明する。椅子３は、断熱壁２の底壁２Ａ上面に取り付けられる座４と、背面板１０の前面に間隔子３０を介して取り付けられる背５とから構成される。本実施例においてこれら座４及び背５は、例えば風雨などに耐久性を有する硬質合成樹脂により構成されており、それぞれ断熱壁２の左右に渡って一部品で構成されたベンチスタイルとされている。そして、この座４及び背５の着座空間９側の面には、加熱装置としてのヒータ３１が埋設されている。このヒータ３１は、前記制御装置２０により制御されるものとする。尚、本実施例では、座４及び背５の両者にヒータ３１を設けているが、どちらか一方であっても良いものとする。また、本実施例において、座４及び背５は、上述した如くそれぞれ一部品で構成されたベンチスタイルとされているが、これに限るものではなく、それぞれ二部品以上に分割されたベンチスタイルであっても、当該ベンチ１に収容可能な人数分に分割された個別スタイルであっても良いものとする。
【００３４】
また、椅子３を構成する座４又は背５には、着座を検出するための着座センサ３２が設けられている（図３のみ図示する）。係る着座センサ３２は、例えば、着座を検出することができるものであれば、重量により検出を行うものであっても、静電容量の変化により検出を行うもの、それ以外のものであっても良いものとする。
【００３５】
次に、図３を参照して上記制御装置２０について説明する。制御装置２０は、例えば汎用のマイクロコンピュータにより構成されており、当該マイクロコンピュータの入力側には、例えば機械室２１の前部に設けられるコントロールパネル３５と、前記着座センサ３２と、着座空間９の温度を検出する温度センサ３３と、椅子３の座４の表面温度を検出する座面温度センサ３４とが接続されていると共に、マイクロコンピュータの出力側には、前記送風機１３と、冷却ユニットＲを構成するコンプレッサ２２と、コンデンサ用送風機２４と、ヒータ３１と、前記ルーバー１７を回転駆動させるルーバーモータ１７Ａとが接続されている。これにより、送風機１３と、冷却ユニットＲを構成するコンプレッサ２２と、コンデンサ用送風機２４と、ヒータ３１と、前記ルーバー１７を回転駆動させるルーバーモータ１７Ａは、コントロールパネル３５と、着座センサ３２と、温度センサ３３、３４の出力に基づき制御される。
【００３６】
以上の構成により、本実施例のベンチ１の動作について説明する。先ず、コントロールパネル３５により、電源がＯＮとされると、冷却ユニットＲのコンプレッサ２２と、送風機１３と、コンデンサ用送風機２４を運転し、エバポレータ１２と熱交換した冷気を背面板１０の上部に形成された冷気吹出口１６より着座空間９上部に吹き出す。着座空間９の冷気は、椅子３の座４と背５の間に位置する背面板１０に形成された冷気吸込口１８から吸い込まれ、再び送風機１３によって加速され、着座空間９に冷気が効率よく循環されて着座空間９は円滑に所定の温度に冷却される。
【００３７】
これにより、エバポレータ１２により冷却された空気を着座空間９に供給することができ、椅子３に着座した人の周囲を積極的に冷房することができるようになる。特に、本実施例によれば、椅子３の着座空間９のみを冷房するかたちとなるので、装置全体がコンパクト化でき、例えば、駅のホームなど設置スペースが限られる場合に特に有効となる。
【００３８】
また、制御装置２０は、上記冷却ユニットＲのコンプレッサ２２の運転に伴い、椅子３の座４や背５に設けられたヒータ３１に通電を行う。これにより、着座空間９に供給された冷気によって冷えた椅子３の座４や背５に、空気中の湿気が結露して座４や背５を濡らす不都合をヒータ３１の発熱により防止、若しくは、抑制することができるようになる。  
【００３９】
尚、例えば冬季など冷房が必要でない場合には、冷却ユニットＲの運転を停止し、ヒータ３１を発熱させることで、椅子３の座４や背５を加熱し、着座した人を暖めることができる。これにより、夏季など冷房を必要とする場合のみならず、一年を通じてベンチ１を快適に使用することができるようになる。
【００４０】
また、制御装置２０は、椅子３の座４に人が着座していないことから着座センサ３２が着座を検出しない場合には、送風機１３の回転数を低下させ、ルーバーモータ１７Ａを作動させ、ルーバー１７の向き、即ち、冷気吹出方向を下方に調整する。これにより、冷房の必要が無い場合には冷気吹出口１６から吹き出された冷気を、椅子３の背５と背面板１０との間に間隔子３０によって構成された空間を経てショートサイクルさせることができる。これにより、省エネルギーに寄与できるようになる。
【００４１】
制御装置２０は、椅子３の座４に人が着座しており、着座センサ３２が着座を検出した場合には、送風機１３の回転数を増大させ、ルーバーモータ１７Ａを作動させ、ルーバー１７の向き、即ち、冷気吹出方向を前下方に調整する。これにより、送風機１３により増大された冷気を冷気吹き出し方向が前下方となるように冷気吹出口１６から吹き出すことで、冷房が必要な場合に支障無く着座した人に冷気を当てることができるようになる。また、断熱壁２の底壁２Ａの下方に機械室２１を構成したことで、ベンチ１の重心が下がり、安定化する。
【実施例２】
【００４２】
次に、第２の実施例としてのベンチ４１について図４を参照して説明する。図４はベンチ４１の正面図を示している。尚、図中、図１又は図２と同様の符号が付されているものは同様の効果を奏するものである。
【００４３】
第２の実施例のベンチ４１は、内方に椅子４３の座４４及び背４５を備え、例えば中央より右側のみ底壁が形成される断面略Ｌ字状の断熱壁４２と、断熱壁４２の両側に取り付けられた側面構成材６、６とから構成されており、これら断熱壁４２と側面構成材６、６により囲繞される空間に椅子４３の着座空間４９を形成する。
【００４４】
係る実施例においても、断熱壁４２の背壁の内側には、所定の間隔を存して背面板１０が取り付けられ、この背面板１０と断熱壁４２の背壁との間には、上記実施例と同様に、エバポレータ１２や送風機１３が配設されたダクト１１が形成される。この場合も係る断熱壁４２の背壁と背面板１０とでこの実施例における本発明の背面構成材が構成される。そして、背面板１０の上部には、上記実施例と同様に断熱壁２の左右に渡ってルーバー１７が設けられる冷気吹出口１６が形成され、背面板１０の下部には、着座空間４９に設けられる椅子４３の座４４の後方に位置して、且つ、断熱壁２の左右に渡って複数の冷気吸込口１８が左右に渡って形成される。
【００４５】
また、係る実施例では、断熱壁４２の右側のみに形成された底壁下方にのみ機械室が形成されており、当該機械室内にコンプレッサ２２やコンデンサ２３などが収容されている。この場合にも機械室が下方にあることにより、重心が低くなってベンチ４１全体が安定化する。また、当該機械室の前面にのみグリル４６が形成された前面パネル４７が設けられている。そして、この断熱壁４２の右側のみに形成された底壁上面にのみ椅子４３を構成する座４４が取り付けられる。
【００４６】
これにより、着座空間４９内には、椅子４３に着座可能な空間と、起立した状態で居留可能な空間、且つ、車椅子のまま進入可能とする空間を形成することができる。そのため、上記実施例と同様に送風機１３を運転することで、着座空間４９にエバポレータ１２と熱交換した冷気を背面板１０の上部に形成された冷気吹出口１６から供給することができ、着座空間４９内の座４４が設けられる着座可能な空間と、座４４が設けられていない起立した状態で居留可能な空間を積極的に冷房することができるようになる。また、このように、座４４が設けられていない空間を構成することで、所謂バリヤフリーにも寄与することができるようになる。
【００４７】
尚、係る実施例では、上記実施例における着座センサ３２のみならず、座４４が設けられていない空間に人が侵入したことを検出する人感センサを設け、これら着座センサ３２と人感センサに基づき、上述の如く送風機１３の回転数や冷気吹出方向の調整を行っても良いものとする。また、側面構成材６、６間における椅子４３の無い空間、即ち、中央より左側の空間に折り畳み式の椅子を取り付けてもよい。その場合は、背４５側に折り畳み可能な座を当該左側の空間に取り付ける。係る構成とすれば、当該座を水平とした状態では、椅子４３の左方にも着座可能となると共に、当該座を背４５側に折り畳めば、上述同様に起立した状態で居留可能となり、或いは、車椅子のまま進入可能となる。
【実施例３】
【００４８】
次に、第３の実施例としてのベンチ５１について図５乃至図７を参照して説明する。図５はベンチ５１の椅子５３を降ろした状態の縦断側面図、図６はベンチ５１の椅子５３を畳んだ状態の縦断側面図、図７はベンチ５１の正面図を示している。尚、図中、図１又は図２と同様の符号が付されているものは同様の効果を奏するものである。
【００４９】
第３の実施例のベンチ５１は、前側に椅子５３の座５４及び背５５を備え、本体を構成する背面断熱壁５２と、椅子５３の両側、即ち、背面断熱壁５２の両側に取り付けられた側面構成材５６、５６と、これら側面構成材５６、５６の上端に渡って取り付けられる天面構成材６１とから構成されており、これら背面断熱壁５２と側面構成材５６、５６と、天面構成材６１により囲繞される空間に椅子５３の着座空間５９を形成する。側面構成材５６、５６は、背面断熱壁５２の上端から下端に渡って構成される断面略コ字状の側板５７と、当該側板５７により囲繞されるガラスなどの透明板５８と、当該透明板５８の前縁に取り付けられる枠部材６０により構成される。
【００５０】
背面断熱壁５２の前側には、所定の間隔を存して背面板１０が取り付けられ、この背面板１０と背面断熱壁５２との間をダクト１１としている。この背面断熱壁５２と背面板１０とでこの実施例における本発明の背面構成材が構成される。このダクト１１内にも、第１の実施例と同様に、冷却ユニットＲのエバポレータ１２及び送風機１３が設けられている。そして、背面板１０の上部には、第１の実施例と同様に左右に渡ってルーバー１７が設けられる冷気吹出口１６が形成され、背面板１０の下部には、着座空間５９に設けられる椅子５３の座５４の後方に位置して複数の冷気吸込口１８が左右に渡って形成される。
【００５１】
他方、天面構成材６１の上面には、前記エバポレータ１２と共に、冷媒回路を有した冷却ユニットＲを構成するコンプレッサ２２と、コンデンサ２３と、コンデンサ用送風機２４などが設けられている。尚、係る実施例において、冷却ユニットＲを構成するコンプレッサ２２などは、側面及び前面を構成する上部パネル６２によって囲繞されているものとする。上部パネル６２を構成する前面には、グリル６３が形成されており、上部パネル６２内への吸気が可能とされているものとする。
【００５２】
次に、着座空間５９に設けられる椅子５３について説明する。椅子５３は、背面板１０の前面に間隔子３０を介して取り付けられる背５５と、当該背５５の下端に上方に略９０°回動自在に枢支、且つ、保持される座５４とから構成され、座５４を背５５側に折り畳み可能とされる。尚、係る実施例においても第１の実施例の椅子３と同様に加熱装置としてのヒータ３１や着座センサ３２が設けられているものとする。また、係る実施例において、座５４及び背５５は、それぞれ一部品で構成されたベンチスタイルとされているが、これに限るものではなく、それぞれ二部品以上に分割され、それぞれ座５４を回動可能とするベンチスタイルであっても、当該ベンチ５１に収容可能な人数分に分割され、それぞれ座５４を回動可能とする個別スタイルであっても良いものとする。
【００５３】
これにより、第１の実施例と同様に送風機１３を運転することで、着座空間５９にエバポレータ１２と熱交換した冷気を背面板１０の上部に形成された冷気吹出口１６から供給することができ、着座空間５９を積極的に冷房することができるようになる。また、係る実施例では、椅子５３は、座５４を背５５側に折り畳み可能に構成されているため、椅子５３に着座する使用形態と、例えば車椅子のまま入って冷気に当たる使用形態を使い分けることができるようになる。
【実施例４】
【００５４】
次に、第４の実施例としてのベンチ７１について図８及び図９を参照して説明する。図８はベンチ７１の縦断側面図、図９はベンチ７１の正面図を示している。尚、図中、図５乃至図７と同様の符号が付されているものは同様の効果を奏するものである。
【００５５】
第４の実施例のベンチ７１は、前側に椅子７３の座７４及び背７５を備え、本体を構成する背面断熱壁５２と、椅子７３の両側、即ち、背面断熱壁５２の両側に取り付けられた側面構成材５６、５６と、これら側面構成材５６、５６の上端に渡って取り付けられる天面構成材６１とから構成されており、これら背面断熱壁５２と側面構成材５６、５６と、天面構成材６１により囲繞される空間に椅子７３の着座空間７９を形成する。
【００５６】
背面断熱壁５２の前側及び天面構成材６１の下側には、所定の間隔を存して仕切板７６が取り付けられ（これら背面断熱壁５２と仕切板７６でこの実施例における本発明の背面構成材が構成される）、この仕切板７６と背面断熱壁５２及び天面構成材６１との間をダクト７７としている。このダクト７７内にも、第１の実施例と同様に、冷却ユニットＲのエバポレータ１２及び送風機１３が設けられている。そして、天面構成材６１の下側に位置する仕切板７６の前部には、左右に渡ってルーバー７８が設けられる冷気吹出口８０が形成され、背面断熱壁５２の前側に位置する仕切板７６には、着座空間７９に設けられる椅子７３の背５５上方に位置して複数の冷気吸込口８１が左右に渡って形成される。尚、本実施例におけるルーバー７８も第１の実施例におけるルーバー１７と同様にモータを回転駆動させることにより、冷気吹出方向を調整可能とされているものとする。
【００５７】
尚、係る実施例では、コンプレッサ２２などの冷却ユニットＲは、第３の実施例と同様に天面構成材６１上に配設され、椅子７３は、椅子５３と同様に折り畳み可能な構成とされているものとする。
【００５８】
これにより、第１の実施例と同様に送風機１３を運転することで、エバポレータ１２と熱交換した冷気はダクト７７内を上昇せられ、天面構成材６１の下側に位置する仕切板７６前部に形成された冷気吹出口８０より着座空間７９に吹き出される。そして、椅子７３の上方前側から着座空間７９に吹き出された冷気の一部は、着座空間７９の前側に冷気エアーカーテンを形成する。そして、残りの冷気は、仕切板７６に形成された冷気吸込口８１から吸い込まれ、再び送風機１３によって加速され、着座空間７９に冷気が循環されて着座空間７９は所定の温度に冷却される。
【００５９】
これにより、エバポレータ１２により冷却された空気を着座空間７９に供給することができ、椅子７３に着座した人の周囲を積極的に冷房することができるようになると共に、着座空間７９の前側に冷気エアーカーテンを形成することで、より一層、冷房効果を向上させることができるようになる。
【００６０】
尚、係る実施例においても、上記実施例における着座センサ３２のみならず、着座空間７９に人が侵入したことを検出する人感センサを設け、これら着座センサ３２と人感センサに基づき、上述の如く送風機１３の回転数や冷気吹出方向の調整を行っても良いものとする。
【図面の簡単な説明】
【００６１】
【図１】ベンチの縦断側面図である。（実施例１）
【図２】ベンチの正面図である。（実施例１）
【図３】制御装置のブロック図である。
【図４】ベンチの正面図である。（実施例２）
【図５】ベンチの椅子を降ろした状態の縦断側面図である。（実施例３）
【図６】ベンチの椅子を畳んだ状態の縦断側面図である。（実施例３）
【図７】ベンチの正面図である。（実施例３）
【図８】ベンチの縦断側面図である。（実施例４）
【図９】ベンチの正面図である。（実施例４）
【符号の説明】
【００６２】
Ｒ    冷却ユニット
１、４１、５１、７１    ベンチ
２、４２    断熱壁
３、４３、５３、７３    椅子
４、４４、５４、７４    座
５、４５、５５、７５    背
６、５６    側面構成材
９、４９、５９、７９    着座空間
１０  背面板
１１、７７  ダクト
１２  エバポレータ
１３  送風機
１６  冷気吹出口
１７、７８  ルーバー
１８  冷気吸込口
２０  制御装置
２２  コンプレッサ
２３  コンデンサ
２４  コンデンサ用送風機
３０  間隔子
３１  ヒータ
３２  着座センサ
６１  天面構成材
７６  仕切板
【図１】
2005348783.tif 000003
【図２】
2005348783.tif 000004
【図３】
2005348783.tif 000005
【図４】
2005348783.tif 000006
【図５】
2005348783.tif 000007
【図６】
2005348783.tif 000008
【図７】
2005348783.tif 000009
【図８】
2005348783.tif 000010
【図９】
2005348783.tif 000011